(57)【要約】【課題】  折り畳み式携帯電話のような情報処理装置において、外力による液晶表示装置の破損を防止する構造を備えた情報処理装置を提供する。【解決手段】  メインディスプレイの裏面側にサブディスプレイ４を備えた受話器側の筐体とテンキーを備えた送話器側の筐体がヒンジ機構で接続された情報処理装置である携帯電話１において、受話器側のフロントケース３に内蔵された回路基板１０のサブＬＣＤモジュール７の搭載部分に、サブＬＣＤモジュール７の縦方向の中央部に当接する細長く、厚さ０．１ｍｍのスペーサ１１を貼付し、サブディスプレイ４の下側のリヤケース２が押厚されて内部の回路基板１０が変形した場合でも、変形した回路基板１０がサブＬＣＤモジュール７に影響を与えないようにしたものである。【選択図】      図２
2007033658.tif 000002
【特許請求の範囲】
【請求項１】
液晶表示装置とその駆動回路基板とを内蔵する情報処理装置であって、
前記駆動回路基板が取り付けられる第１の筐体と、
前記液晶表示装置を見通せる表示窓を有する第２の筐体を備えており、
前記液晶表示装置が、前記回路基板の中央部の、表面に回路部品が設けられていない部分に取り付けられた状態で前記第１の筐体に前記第２の筐体が組み付けられ、
前記第２の筐体の前記表示窓の周囲に外力が加わって前記回路基板が変形した時に、この回路基板の変形が前記液晶表示装置に干渉しないようにするための緩衝機構が前記回路基板の中央部に設けられていることを特徴とする情報処理装置。
【請求項２】
請求項１に記載の情報処理装置であって、
前記緩衝機構が、前記回路基板の中央部に、前記液晶表示装置を縦断する方向に設けられた所定幅と所定厚を備えたスペーサであることを特徴とする情報処理装置。
【請求項３】
請求項２に記載の情報処理装置であって、
前記スペーサは、前記回路基板の変形に追従して変形できるように、前記回路基板の柔軟性以上の柔軟性を備えることを特徴とする情報処理装置。
【請求項４】
請求項２または３に記載の情報処理装置であって、
前記スペーサの厚さが０．１ｍｍであることを特徴とする情報処理装置。
【請求項５】
請求項１に記載の情報処理装置であって、
前記緩衝機構が、前記回路基板の中央部を前記液晶表示装置の幅で両側から切り欠き、前記液晶表示装置を縦断する方向に所定幅の回路基板を残したブリッジ構造であることを特徴とする情報処理装置。
【発明の詳細な説明】
【技術分野】
【０００１】
本発明は、情報処理装置に関し、特に、折り畳み式携帯電話のような情報処理装置であって、開いた時にメインディスプレイとダイヤルボタンが現れ、メインディスプレイの裏面側にサブディスプレイがある携帯電話の、サブディスプレイの保護機構を内蔵する情報処理装置に関するものである。
【背景技術】
【０００２】
近年、コンピュータを内蔵する通信装置の小型化が進み、携帯電話やＰＨＳ電話機等の情報処理装置を手軽に所持することができるようになった。このような情報処理装置の初期のものは縦長の一体形状であり、筐体の最上部に受話器があり、その下側に液晶表示器からなる情報のディスプレイがあり、筐体の真ん中から下の部分にダイヤルボタンやその他の機能ボタンからなる入力操作部があって、最下部に送話用のマイクロフォンが設けられていた。
【０００３】
その後、筐体を受話器側と送話器側の２つに分割し、受話器側と送話器側をヒンジ機構で接続して折り畳める形状の携帯電話や、送話器側に対して受話器側を回転させたりスライドさせたりする分割型の携帯電話が現れた。このような分割型の携帯電話は、不使用時には受話器側と送話器側が重ねあわされてコンパクトになるので、現在ではこの分割型の携帯電話が主流になっている。
【０００４】
また、このような分割型の携帯電話では、ディスプレイが設けられた受話器側の筐体の裏面側に小型のサブディスプレイが設けられることが一般的である。このサブディスプレイは、携帯電話を閉じた状態で着信の有無や時計表示を行うために使用されている。
【０００５】
携帯電話において、ディスプレイが設けられた受話器側の筐体の裏面側に小型のサブディスプレイが設けられる構成は、例えば特許文献１に記載されている。特許文献１では、ディスプレイは正面ＬＣＤ，サブディスプレイは背面ＬＣＤと記載されている。特許文献１に記載の発明は、背面ＬＣＤを収納するガイドリブを背面スクリーン貼付面からオフセットした位置に設け、背面スクリーン貼付面に加わる外力（圧迫荷重）がガイドリブに伝わらないようにして、本体の厚みを薄くしながらＬＣＤの保護を図るものである。
【０００６】
【特許文献１】特開２００３−２４１１７０
【発明の開示】
【発明が解決しようとする課題】
【０００７】
ところで、分割型の携帯電話の受話器側に設けられた小型のサブディスプレイは、特許文献１に記載されたＬＣＤの取り付け構造とは別の構造を備えたものであっても、携帯電話を閉じた時にサブディスプレイが筐体の表面に露出するので、サブディスプレイの周辺に外部からの力（圧迫荷重）が加わると、サブディスプレイが破損する虞があった。これを図１を用いて説明する。
【０００８】
図１（ａ）は従来の情報処理装置である携帯電話１の、リヤケース２とフロントケース３を備えた受話器側の筐体のみを見たものであり、送話器側の筐体の図示は省略してある。リヤケース２の表面には、サブディスプレイ４やカメラ５が設けられている。６は図示しない送話器側の筐体が接続されるヒンジ機構である。
【０００９】
このような携帯電話１において、リヤケース２に露出するサブディスプレイ４の周囲の、カメラ５側の中央部近傍に、矢印Ｐで示す外力（圧迫荷重）が加わると、図１（ｂ）に示すように、この外力により、携帯電話１の内部にある回路基板１０が変形する。そして、この回路基板１０の変形に伴なって、サブディスプレイを構成する液晶表示器（ＬＣＤ）からなるサブＬＣＤモジュール７が変形する。サブＬＣＤモジュール７にはガラス板が使用されているので、回路基板１０によってサブＬＣＤモジュール７が変形させられると、ガラス板が割れたりひびが入ったりする不具合が発生したのである。
【００１０】
そこで本発明は、露出面にディスプレイを備えた情報処理装置において、ディスプレイの周囲に圧迫荷重が外部から加えられ、内部の回路基板が変形することがあっても、回路基板の変形によってディスプレイが損傷することのない情報処理装置を提供することを目的としている。
【課題を解決するための手段】
【００１１】
前記目的を達成する本発明の情報処理装置の第１の形態は、液晶表示装置とその駆動回路基板とを内蔵する情報処理装置であって、駆動回路基板が取り付けられる第１の筐体と、液晶表示装置を見通せる表示窓を有する第２の筐体を備えており、液晶表示装置が、回路基板の中央部の表面に回路部品が設けられていない部分に取り付けられた状態で第１の筐体に前記第２の筐体が組み付けられ、第２の筐体の表示窓の周囲に外力が加わって回路基板が変形した時に、この回路基板の変形が液晶表示装置に干渉しないようにするための緩衝機構が回路基板の中央部に設けられていることを特徴とする情報処理装置である。
【００１２】
第２の形態は、第１の形態の情報処理装置において、緩衝機構が、回路基板の中央部に、液晶表示装置を縦断する方向に設けられた所定幅と所定厚を備えたスペーサであることを特徴とする情報処理装置である。
【００１３】
第３の形態は、第２の形態の情報処理装置において、スペーサは、回路基板の変形に追従して変形できるように、回路基板の柔軟性以上の柔軟性を備えることを特徴とする情報処理装置である。
【００１４】
第４の形態は、第２の形態または第３の形態に記載の情報処理装置において、スペーサの厚さが０．１ｍｍであることを特徴とする情報処理装置である。
【００１５】
第５の形態は、第１の形態における、緩衝機構が、回路基板の中央部を液晶表示装置の幅で両側から切り欠き、液晶表示装置を縦断する方向に所定幅の回路基板を残したブリッジ構造であることを特徴とする情報処理装置である。
【発明の効果】
【００１６】
本発明の情報処理装置によれば、露出面にディスプレイを備えた情報処理装置において、ディスプレイの周囲に圧迫荷重が外部から加えられ、筐体内部の回路基板が変形することがあっても、回路基板の変形によってディスプレイが損傷することがないという効果がある。
【発明を実施するための最良の形態】
【００１７】
以下、図面を用いて本発明の好適な実施の形態を、具体的な実施例に基づいて詳細に説明する。なお、以下に説明する実施例では、情報処理装置として折畳式の携帯電話を例にとって説明する。また、図１で説明した従来例の携帯電話１と同じ構成部材には同じ符号を付して説明する。
【００１８】
図２（ａ）は、本発明の情報処理装置の一例である携帯電話１の一実施例の構成を示すものである。この実施例でも携帯電話１の、リヤケース２とフロントケース３を備えた受話器側の筐体のみを分解して示してあり、送話器側の筐体の図示は省略してある。
【００１９】
リヤケース２の表面には、サブディスプレイ４やカメラ５が設けられている。フロントケース３には送話器側の筐体が接続されるヒンジ機構６があり、その内部にはフロントケース３の表側（図の下側）に設けられた受話器やディスプレイ、或いはリヤケース２に設けられたカメラを動作させるための回路が搭載された回路基板１０が取り付けられている。回路基板１０の中央部にはサブＬＣＤモジュール７を組み込むためのスペースが設けられている。
【００２０】
従来の構成では、回路基板１０の中央部に、サブＬＣＤモジュール７が単純に組み込まれていた。一方、本発明のこの実施例では、回路基板１０の中央部のサブＬＣＤモジュール７を取り付ける部位に、スペーサ１１が設けられている。このスペーサ１１は、短冊状であり、その厚さは０．１ｍｍ程度である。このスペーサ１１は、フロントケース３の長手方向に沿って、サブＬＣＤモジュール７を縦断するように配置されている。スペーサ１１の材質は、回路基板１０が変形した時に、回路基板１０の変形に追従して変形することができる程度の柔らかさが必要であり、例えば、ポリエチレン・テレフタラートを使用することができる。
【００２１】
図２（ａ）に示した構成の携帯電話１を組み立てると、図１（ａ）に示した携帯電話１と全く同じ形状になる。このような携帯電話１において、リヤケース２に露出するサブディスプレイ４の周囲の、カメラ５側の中央部近傍に、矢印Ｐで示す外力（圧迫荷重）が加わった場合を考える。
【００２２】
リヤケース２に露出するサブディスプレイ４の周囲の、カメラ５側の中央部近傍に、矢印Ｐで示す外力（圧迫荷重）が加わると、図２（ｂ）に示すように、外力Ｐは携帯電話１の内部にあるスペーサ１１を介して回路基板１０に伝わるので、回路基板１０が変形する。ところが、回路基板１０が変形しても、回路基板１０とサブＬＣＤモジュール７との間には、スペーサ１１による隙間があるので、変形した回路基板１０が回路基板１０に届かない。
【００２３】
この結果、圧迫荷重がサブディスプレイ４の周囲の、カメラ５側の中央部近傍に加わっても、回路基板１０が変形するだけで、サブＬＣＤモジュール７は変形しない。本発明者の実験の結果、サブＬＣＤモジュール７が損傷を受ける圧迫荷重は、スペーサ１１が無い時には３２０Ｎであったが、図２（ａ）の構成の場合には３７０〜４００Ｎに向上した。
【００２４】
図３（ａ）は情報処理装置である本発明の携帯電話１の表示機の他の実施例の構成を示す回路基板１０の斜視図であり、（ｂ）は（ａ）に示した回路基板１０をフロントケース３に組み込んだ状態を示す斜視図である。
【００２５】
この実施例では、回路基板１０の中央部の、サブＬＣＤモジュール７を取り付ける部位が、サブＬＣＤモジュール７の縦方向（回路基板１０の長手方向）の長さと同じ幅で、回路基板１０の両側から切り欠かれ、サブＬＣＤモジュール７を縦断する方向に所定幅の回路基板を残したブリッジ１３が形成されている。このブリッジ１３の幅は、図２（ａ）に示したスペーサ１１の幅と同じで良い。
【００２６】
図３（ｂ）に示した構成の携帯電話１を組み立てると、図１（ａ）に示した携帯電話１と全く同じ形状になる。このような携帯電話１において、リヤケース２に露出するサブディスプレイ４の周囲の、カメラ５側の中央部近傍に、矢印Ｐで示す外力（圧迫荷重）が加わった場合を考える。
【００２７】
リヤケース２に露出するサブディスプレイ４の周囲の、カメラ５側の中央部近傍に、矢印Ｐで示す外力（圧迫荷重）が加わると、図３（ｃ）に示すように、回路基板１０が変形する。ところが、サブＬＣＤモジュール７が搭載されている部分には、ブリッジ１３があるだけなので、回路基板１０が変形しても、回路基板１０がサブＬＣＤモジュール７に接触しない。
【００２８】
この結果、圧迫荷重がサブディスプレイ４の周囲の、カメラ５側の中央部近傍に加わっても、回路基板１０が変形するだけで、サブＬＣＤモジュール７は変形しない。本発明者の実験の結果、この実施例でも、サブＬＣＤモジュール７が損傷を受ける圧迫荷重は、ブリッジ１３が無い時には３２０Ｎであったが、図３（ａ）の構成の場合には３７０〜４００Ｎに向上した。
【００２９】
以上情報処理装置として携帯電話の例を説明したが、情報処理装置としては携帯電話に限定されるものではなく、筐体にディスプレイを備え、このディスプレイが内部の回路基板上に搭載されている装置であれば、本発明を適用可能である。
【００３０】
以上、本発明を特にその好ましい実施の形態を参照して詳細に説明した。本発明の容易な理解のために、本発明の具体的な形態を以下に付記する。
【００３１】
（付記１）  液晶表示装置とその駆動回路基板とを内蔵する情報処理装置であって、
前記駆動回路基板が取り付けられる第１の筐体と、
前記液晶表示装置を見通せる表示窓を有する第２の筐体を備えており、
前記液晶表示装置が、前記回路基板の中央部の、表面に回路部品が設けられていない部分に取り付けられた状態で前記第１の筐体に前記第２の筐体が組み付けられ、
前記第２の筐体の前記表示窓の周囲に外力が加わって前記回路基板が変形した時に、この回路基板の変形が前記液晶表示装置に干渉しないようにするための緩衝機構が前記回路基板の中央部に設けられていることを特徴とする情報処理装置。（１）
（付記２）  付記１に記載の情報処理装置であって、
前記緩衝機構が、前記回路基板の中央部に、前記液晶表示装置を縦断する方向に設けられた所定幅と所定厚を備えたスペーサであることを特徴とする情報処理装置。（２）
（付記３）  付記２に記載の情報処理装置であって、
前記スペーサは、前記回路基板の変形に追従して変形できるように、前記回路基板の柔軟性以上の柔軟性を備えることを特徴とする情報処理装置。（３）
（付記４）  付記２または３に記載の情報処理装置であって、
前記スペーサの厚さが０．１ｍｍであることを特徴とする情報処理装置。（４）
（付記５）  付記１に記載の情報処理装置であって、
前記緩衝機構が、前記回路基板の中央部を前記液晶表示装置の幅で両側から切り欠き、前記液晶表示装置を縦断する方向に所定幅の回路基板を残したブリッジ構造であることを特徴とする情報処理装置。（５）
（付記６）  付記１から５の何れかに記載の情報処理装置であって、
前記情報処理装置が携帯電話であることを特徴とする情報処理装置。
（付記７）  付記６に記載の情報処理装置であって、
前記第１の筐体の表面には前記携帯電話のメインディスプレイが設けられており、
前記液晶表示装置が前記携帯電話のサブディスプレイであることを特徴とする情報処理装置。
（付記８）  付記３に記載の情報処理装置であって、
前記スペーサがポリエチレン・テレフタラートから構成されていることを特徴とする情報処理装置。
【図面の簡単な説明】
【００３２】
【図１】（ａ）は従来の情報処理装置である携帯電話の受話器側の裏面を見たものであり、外力が印加される場所を示す説明図、（ｂ）は（ａ）に示した外力により、携帯電話内部にある基板とサブディスプレイが変形する問題点を説明する概略断面図である。
【図２】（ａ）は情報処理装置である本発明の携帯電話の受話器側の構成の一実施例を示す組立斜視図であり、（ｂ）は（ａ）に示した携帯電話を組み立てた後、図１（ａ）と同じ部位に外力が加わった時の、携帯電話内部にある基板の変形を説明する概略断面図である。
【図３】（ａ）は情報処理装置である本発明の携帯電話の受話器側の構成の他の実施例の構成を示す回路基板の斜視図であり、（ｂ）は（ａ）に示した回路基板を携帯電話の受話器側の筐体に組み込んだ状態を示す斜視図であり、（ｃ）は（ｂ）に示した携帯電話を組み立てた後、図１（ａ）と同じ部位に外力が加わった時の、携帯電話内部にある基板の変形を説明する概略断面図である。
【符号の説明】
【００３３】
１    携帯電話
２    リヤケース
３    フロントケース
４    サブディスプレイ
５    カメラ
６    ヒンジ機構
７    サブＬＣＤモジュール
１０    回路基板
１１    スペーサ
１２    切り欠き部
１３    ブリッジ
【図１】
2007033658.tif 000003
【図２】
2007033658.tif 000004
【図３】
2007033658.tif 000005